(57)【要約】【課題】内部の側面接触子がソケット中心方向へ傾いたり、折れ曲がることのない電球用ソケットを提供する。【解決手段】有底筒状のソケット本体４内に電球の電極に電気を供給する側面接触子７と中心接触子６が設けられ、側面接触子７はソケット本体４内部底面３ｂの端よりソケット本体４の内壁面４ｂに沿って立ち上げられ、中心接触子６はソケット本体４内部底面３ｂの中心近傍に設けられている電球用のソケット３において、ソケット本体４内部底面３ｂの側面接触子７より中心寄りの位置に、側面接触子７よりも短い起立リブ８が立ち上げ形成されている。【選択図】図１
2008159490.tif 000002
【特許請求の範囲】
【請求項１】
有底筒状のソケット本体内に電球の電極に電気を供給する側面接触子と中心接触子が設けられ、前記側面接触子はソケット本体内部底面の端よりソケット本体内壁面に沿って立ち上げられ、前記中心接触子はソケット本体内部底面の中心近傍に設けられている電球用のソケットにおいて、
ソケット本体内部底面の前記側面接触子より中心寄りの位置に、該側面接触子よりも短いリブが立ち上げられていることを特徴とするソケット。
【発明の詳細な説明】
【技術分野】
【０００１】
本発明は、電球用のソケットに関するものである。
【背景技術】
【０００２】
従来、例えば浴室用照明ランプ１は、図３に分解斜視図で示すような構造となっており、浴室用照明ランプ１の本体２の内周には雌ネジ２ａが形成され、本体２の中心部には同芯状に突出してソケット３が設けられている。
このソケット３内にねじ込まれる電球１０の口金１１には、第１電極１１ａと第２電極１１ｂが形成されている。
なお、本体２の雌ネジ２ａに螺合状に取り付けて電球１０を覆蓋することのできるグローブ１２が備えられている。
前記ソケット３の部分は、例えば図３の拡大断面構成図で示すような構造となっており、有底筒状のソケット本体４には、電球１０の口金１１を挿入する電球挿入部３ａが形成されており、ソケット本体４の内周面には、口金１１が螺合される内周ネジ４ａが形成されている。
また、ソケット本体４の内部底面３ｂの端よりソケット本体４の内周面に沿って立ち上げられて側面接触子７が設けられ、この側面接触子７が電球１０の第１電極１１ａに接触するものであり、また、ソケット本体４の内部底面３ｂの中心近傍には、電球１０の第２電球１１ｂに接触する中心接触子６が設けられている。
なお、このような側面接触子と中央接触子を備えた電球ソケットとして、特許文献１に開示されているような構造のものが存在する。
【特許文献１】実開平７−１５８８号公報
【発明の開示】
【発明が解決しようとする課題】
【０００３】
上記したような従来構造のソケットにおいて、組み立てや施工，清掃，電球１０の交換時等にソケット本体４の内部に接触したような場合に、側面接触子７がソケット本体４の内部中心方向へ傾いたり、折り曲げられたりすることがあり、そのような事態が生じないように、ソケットの組み立て精度が要求され、また、電球交換時等に注意を払う必要があった。
【課題を解決するための手段】
【０００４】
本発明は上記従来の問題点に鑑み案出したものであって、側面接触子が傾いたり、折れ曲がることのないソケットを提供するものであり、その請求項１は、有底筒状のソケット本体内に電球の電極に電気を供給する側面接触子と中心接触子が設けられ、前記側面接触子はソケット本体内部底面の端よりソケット本体内壁面に沿って立ち上げられ、前記中心接触子はソケット本体内部底面の中心近傍に設けられている電球用のソケットにおいて、ソケット本体内部底面の前記側面接触子より中心寄りの位置に、該側面接触子よりも短いリブが立ち上げられていることである。
【発明の効果】
【０００５】
立ち上げられているリブにより、側面接触子がソケット本体内の中心方向へ傾いたり、折れ曲がることが良好に防がれ、側面接触子の折れ曲がりによるショートを確実に防止できるものとなる。
【実施例】
【０００６】
以下、本発明の実施例を図面に基づいて説明する。
図１は、ソケットの縦断面拡大構成図であり、また図２は、ソケットの横断面構成図である。
ソケット３を構成するソケット本体４は有底筒状に形成されており、一端側に電球１０の口金１１を挿入する電球挿入口３ａが開口されており、ソケット本体４の内周面には、電球１０の口金１１の外周に形成されている雄ネジが螺合する雌ネジ状の内周ネジ４ａが形成されている。
この内周ネジ４ａの一部には、凹み状に縦方向の縦溝４ｂ，４ｂが対向状に形成されており、一方側の縦溝４ｂ内に、縦溝４ｂに沿って側面接触子７が立ち上げ状に設けられている。また、ソケット本体４の内部底面３ｂの中心近傍には、内部底面３ｂから浮き上がり状に中心接触子６が配置されている。
【０００７】
なお、側面接触子７は内部底面３ｂの外周側の端より縦溝４ｂ内に立ち上げられているが、内部底面３ｂ側では中心方向に折り曲げて折れ曲がり部７ａが形成されており、この折れ曲がり部７ａから立上部７ｂが電球挿入口３ａ側へ延出され、立上部７ｂの先端の先端部７ｃは縦溝４ｂの底側に向かって曲げられている。
【０００８】
本例では、ソケット本体４の内部底面３ｂの側面接触子７よりも中心寄りの位置に、側面接触子７よりも短い起立リブ８が内部底面３ｂから一体状に立ち上げ形成されており、この起立リブ８が側面接触子７の折れ曲がり部７ａに当接して、側面接触子７を縦溝４ｂの底側へ押すように構成されている。また、側面接触子７の先端部７ｃの電球挿入口３ａ側には、縦溝４ｂを埋めるように溝埋めリブ９が縦溝４ｂの底から突出形成されている。
【０００９】
このような構成においては、例えば、電球１０を交換する際等に、電球１０の口金１１が電球挿入口３ａ側より挿入される際に、口金１１により側面接触子７がソケット本体４の内部中心方向へ傾いたり、折り曲げられたりすることはない。即ち、側面接触子７の先端部７ｃの電球挿入口３ａ側は、溝埋めリブ９により塞がれているため、先端部７ｃが口金１１に接触するのが防がれ、また、起立リブ８により側面接触子７がソケット本体４の内部中心方向へ傾くのが確実に防止される。
電球交換時に限らず、清掃時等にも側面接触子７が内側へ傾いたり、折れ曲がることが確実に防止されることとなり、側面接触子７が中心接触子６と接触するような事態は生じないものとなる。
【００１０】
なお、図１中５は、ソケット本体４の底側にネジで固定される底面部材５であり、この底面部材５には端子挿入孔５ａが形成されており、この端子挿入孔５ａ内に電極が差し込み状に取り付けられるものである。
なお、起立リブ８の立ち上がり高さは、側面接触子７の内部中心方向への傾きあるいは折れ曲がりを確実に防ぐことができる程度の高さであれば良い。
【００１１】
また、溝埋めリブ９は、縦溝４ｂの長さを短くしておけば設けなくても良く、縦溝４ｂの電球挿入口３ａ側端部と側面接触子７の先端部７ｃとの間に僅かな隙間が形成される程度に、溝埋めリブ９の分だけ長さの短い縦溝４ｂに設定しておけば、側面接触子７の先端部７ｃが電球の口金１１等に干渉することはない。
なお、起立リブ８および溝埋めリブ９は、ソケット本体４に一体形成したものを例示しているが、起立リブ８および溝埋めリブ９は別体のものを固設しても良い。
【図面の簡単な説明】
【００１２】
【図１】ソケットの縦断面拡大構成図である。
【図２】ソケットの横断面構成図である。
【図３】浴室用ランプの一例を示す分解斜視図である。
【図４】従来のソケットの一例を示す縦断面拡大構成図である。
【符号の説明】
【００１３】
１  浴室用照明ランプ
２  本体
３  ソケット
３ａ  電球挿入口
３ｂ  内部底面
４  ソケット本体
４ａ  内周ネジ
４ｂ  縦溝
５  底面部材
６  中心接触子
７  側面接触子
７ａ  折れ曲がり部
７ｂ  立上部
７ｃ  先端部
８  起立リブ
９  溝埋めリブ
１０  電球
１１  口金
１１ａ  第１電極
１１ｂ  第２電極
【図１】
2008159490.tif 000003
【図２】
2008159490.tif 000004
【図３】
2008159490.tif 000005
【図４】
2008159490.tif 000006